【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
クライアント側にて、再送帯域を測定して再送帯域に基づく帯域制御を行いながらパケット送信を行い、フィードバック通知されるパケット廃棄箇所に基づきパケット再送を行う複数の第１ノード装置と、
サーバ側にて、複数の前記第１ノード装置と通信し、パケット廃棄箇所を検出して送信側の前記第１ノード装置に前記パケット廃棄箇所をフィードバック通知する第２ノード装置と
を備え、
インターバルとして規定する一定の時刻に達するたびに、前記第２ノード装置の複数の前記第１ノード装置との回線の利用可能通信帯域を、各第１ノード装置と前記第２ノード装置とのコネクション数に基づき各第１ノード装置の通信帯域に分割することを特徴とする通信システム。
【請求項２】
クライアント側の前記第１ノード装置の少なくともひとつは、パケット送受信が行われている有効なコネクション数を測定して、前記有効なコネクション数に基づく帯域制御を行うことを特徴とする請求項１に記載の通信システム。
【請求項３】
クライアント側の前記第１ノード装置の少なくともひとつは、パケット再送が発生中のコネクション数を測定して、前記再送発生中のコネクション数に基づく帯域制御を行うことを特徴とする請求項１に記載の通信システム。
【請求項４】
クライアント側の前記第１ノード装置の少なくともひとつは、前記フィードバック通知されたパケット受信中のコネクション数を測定して、前記パケット受信中のコネクション数に基づく帯域制御を行うことを特徴とする請求項１に記載の通信システム。
【請求項５】
前記第２ノード装置は、
パケット送信側の複数の前記第１ノード装置との間のラウンドトリップタイムをそれぞれ測定し、
各ラウンドトリップタイムの中で最大のラウンドトリップタイム以上の値を前記インターバルとして設定し、
該インターバルが経過するたびに、前記第１ノード装置へ、パケット送信中の総コネクション数と契約帯域とを通知することを特徴とする請求項１に記載の通信システム。
【請求項６】
パケット送信側の前記第１ノード装置は、前記第２ノード装置での総コネクション数に対する自身のコネクション数の割合に前記契約帯域を乗じて、自身の最大通信帯域を算出し、前記自身の最大通信帯域の範囲内でパケット送信することを特徴とする請求項５に記載の通信システム。
【請求項７】
パケット受信側の前記第２ノード装置は、前記インターバルの時刻が経過するたびに、パケット送信側の第１ノード装置へ、前記インターバルを通知することを特徴とする請求項１に記載の通信システム。
【請求項８】
前記第２ノード装置にて、パケット送信側にあたる新規の第３ノード装置と、複数の前記第１ノード装置が通信帯域を共有する際に、
前記第２ノード装置は、前記第３ノード装置との間のラウンドトリップタイムを計測し、現在、通信帯域を共有している複数の前記第１ノード装置と前記第３ノード装置の中で最大のラウンドトリップタイム以上の値で前記インターバルを更新することを特徴とする請求項１に記載の通信システム。
【請求項９】
前記第２ノード装置にて、現在、通信帯域を共有しているパケット送信側にあたる前記第１ノード装置の少なくともひとつが、通信帯域の共有対象から離脱する際に、
離脱する前記第１ノード装置のラウンドトリップタイムが、現在、通信帯域を共有している前記第１ノード装置の中で最大のラウンドトリップタイムであった場合、次に大きい値のラウンドトリップタイム以上の値で前記インターバルを更新することを特徴とする請求項１に記載の通信システム。
【請求項１０】
前記第１ノード装置は、前記第２ノード装置がパケットを受信するタイミングである基準時刻に対して、計測される前記第２ノード装置とのラウンドトリップタイムの１／２だけ帯域更新のタイミングをずらすことを特徴とする請求項１に記載の通信システム。
【請求項１１】
前記第２ノード装置は、現在の時刻を示すタイマの単位時間を示す時間精度と、タイマの初期値とを前記第１ノード装置に通知し、
前記第１ノード装置は、自身のタイマの時刻と時間精度を、通知されたタイマ初期値と時間粒度とに基づき設定することを特徴とする請求項１に記載の通信システム。
【請求項１２】
前記第１ノード装置は、タイマ初期値と時間粒度とを受信した時点で自身のタイマの時刻と、時間精度とを設定し、
パケット受信側の前記第２ノード装置は、パケット送信側の各第１ノード装置との間のラウンドトリップタイムをパケット送信側の前記第１ノード装置に通知し、
前記第１ノード装置にて、自身のタイマの時刻から前記ラウンドトリップタイムを減じた値を前記インターバルで割った値がゼロに達するたびに、前記パケット送信中の総コネクション数に対する自身のコネクション数の割合に前記契約帯域を乗じて、自身の最大通信帯域を算出し、該自身の最大通信帯域の範囲内でパケットを送信することを特徴とする請求項１０に記載の通信システム。
【請求項１３】
クライアント側にて、再送帯域を測定して再送帯域に基づく帯域制御を行いながらパケット送信を行い、フィードバック通知されるパケット廃棄箇所に基づきパケット再送を行う複数の第１ノード装置と、サーバ側にて、複数の前記第１ノード装置と通信し、パケット廃棄箇所を検出して送信側の前記第１ノード装置に前記パケット廃棄箇所をフィードバック通知する第２ノード装置とを備えた通信システムにおいて、前記第２ノード装置として用いられるノード装置であって、
インターバルとして規定する一定の時刻に達するたびに、前記第２ノード装置と複数の前記第１ノード装置との回線の利用可能通信帯域を、各第１ノード装置と前記第２ノード装置とのコネクション数に基づき各第１ノード装置の通信帯域に分割することを特徴とする前記ノード装置。
【請求項１４】
前記第１ノード装置の少なくともひとつは、パケット送受信が行われている有効なコネクション数を測定して、前記有効なコネクション数に基づく帯域制御を行うことを特徴とする請求項１３に記載の前記ノード装置。
【請求項１５】
クライアント側にて、再送帯域を測定して再送帯域に基づく帯域制御を行いながらパケット送信を行い、フィードバック通知されるパケット廃棄箇所に基づきパケット再送を行う複数の第１ノード装置と、サーバ側にて、複数の前記第１ノード装置と通信し、パケット廃棄箇所を検出して送信側の前記第１ノード装置に前記パケット廃棄箇所をフィードバック通知する第２ノード装置とを備えた通信システムにおいて、前記第１ノード装置として用いられるノード装置であって、
インターバルとして規定する一定の時刻に達するたびに、前記第２ノード装置と複数の前記第１ノード装置との回線の利用可能通信帯域を、各第１ノード装置と前記第２ノード装置とのコネクション数に基づき分割した、自ノード装置の通信帯域を決定することを特徴とする前記ノード装置。
【請求項１６】
前記第１ノード装置の少なくともひとつは、パケット送受信が行われている有効なコネクション数を測定して、前記有効なコネクション数に基づく帯域制御を行うことを特徴とする請求項１５に記載の前記ノード装置。
【請求項１７】
帯域分割の機能がノード装置上のプログラム可能なデバイスを搭載したサービスカードとして提供され、
帯域分割の対象となる通信は、前記ノード装置の中の前記サービスカード上で実行されることを特徴とする請求項１３から１６のいずれかに記載の通信ノード装置。